(57)【要約】【課題】壁面に懸架する物体の着脱が容易なホルダーを提供する。【解決手段】壁面（図示せず）に取り付けられる台座１ａと、前記壁面に対し略垂直方向に突出するとともに前記壁面に懸架する物体３に設けられた凹部４に嵌合する又は引っ掛けられる突起部２を備えたもので、物体３のホルダー１への着脱操作が前方から自由にでき、また、物体３の保持は凹部４と突起部２間の嵌合又は引っ掛けだけで行なわれているので、着脱ストロークが短くなり、非常に使用勝手が良いホルダー１を提供する事ができる。【選択図】図１
2005224274.tif 000002
【特許請求の範囲】
【請求項１】
壁面に取り付けられる台座と、前記壁面に対し略垂直方向に突出するとともに前記壁面に懸架する物体に設けられた凹部に嵌合する又は引っ掛けられる突起部を備えたことを特徴とするホルダー。
【請求項２】
突起部は所定の幅を有し、物体の凹部の幅を前記突起部の幅より長く設定したことを特徴とする請求項１記載のホルダー。
【請求項３】
突起部並びに凹部を横長あるいは縦長に形成したことを特徴とする請求項２記載のホルダー。
【請求項４】
突起部を略円柱状に形成し、凹部を横長あるいは縦長に形成したことを特徴とする請求項１記載のホルダー。
【請求項５】
ホルダーの下端に物体の一部を係止する係止部を設けたことを特徴とする請求項１〜４のいずれか１項記載のホルダー。
【請求項６】
少なくとも突起部あるいは凹部を、他の部分よりも弾性に富んだ材料で形成したことを特徴とする請求項１〜５のいずれか１項記載のホルダー。
【発明の詳細な説明】
【技術分野】
【０００１】
本発明は、壁面に懸架する物体を保持するホルダーに関するものである。
【背景技術】
【０００２】
従来の、壁面に懸架する物体を保持するホルダーとして図８に示すようなものがあった。    図において、従来のホルダー１は、上方が開口し、左右に係止部５ｂを、下部に底面部６をそれぞれ備え、電化製品などを遠隔操作するリモコンなどの物体３を上方からホルダー１に抜き差しするようにしていた（例えば、特許文献１参照）。
【特許文献１】特開２００２−７８０３９号公報
【発明の開示】
【発明が解決しようとする課題】
【０００３】
しかしながら、上記従来のホルダー１は、左右に係止部５ｂがあるため、壁面に懸架する物体３をホルダー１に取り付ける時は、物体３を上方からホルダー１に挿入し、また取り外す時は、物体３を上方から抜かなければならず、取出し時のストロークが長く、また取り外し、取り付け方向が制限され、着脱操作性に自由度がないという課題があった。
【０００４】
また、ホルダー１で保持される物体３が扉を有するリモコン等の場合には、リモコンをホルダー１に収納した状態で、その扉の開閉ができるように係止部５ｂが扉より上側に位置させているので、リモコンを取り外す際のストロークがさらに長くなり着脱操作性が非常に悪かった。
【０００５】
本発明は、前記従来の課題を解決するものであり、物体のホルダーへの着脱時のストロークが短く、しかも着脱方向の自由度が高く、使用勝手の良いホルダーを提供することを目的とする。
【課題を解決するための手段】
【０００６】
前記従来の課題を解決するために、本発明のホルダーは、壁面に取り付けられる台座と、前記壁面に対し略垂直方向に突出するとともに前記壁面に懸架する物体に設けられた凹部に嵌合する又は引っ掛けられる突起部を備えたもので、物体のホルダーへの着脱操作が前方から自由にでき、また、物体の保持は凹部と突起部間の嵌合又は引っ掛けだけで行なわれているので、着脱ストロークが短くなり、非常に使用勝手の良いホルダーを提供する事ができる。
【発明の効果】
【０００７】
本発明のホルダーは、従来のような左右の係止部が無いので、物体の着脱操作の方向の自由度が向上し、しかも着脱ストロークも短く、使用勝手が非常に良いものである。勿論、扉を有するリモコンのような物体でも、その扉の開閉は可能である。
【発明を実施するための最良の形態】
【０００８】
第１の発明は、壁面に取り付けられる台座と、前記壁面に対し略垂直方向に突出するとともに前記壁面に懸架する物体に設けられた凹部に嵌合する又は引っ掛けられる突起部を備えたもので、物体のホルダーへの着脱操作が前方から自由にでき、また、物体の保持は凹部と突起部間の嵌合又は引っ掛けだけで行なわれているので、着脱ストロークが短くなり、非常に使用勝手の良いホルダーを提供する事ができる。
【０００９】
第２の発明は、特に、第１の発明の突起部は所定の幅を有し、物体の凹部の幅を前記突起部の幅より長く設定したもので、突起部と凹部の接触が面接触となり、壁面に懸架する物体の保持力を向上させることができるとともに、着脱操作の安定性や着脱感を向上させることができる。
【００１０】
第３の発明は、特に、第２の発明の突起部並びに凹部を横長あるいは縦長に形成したもので、第２の発明による効果に加え、両部を横長に形成すると、斜め上下方向での物体のホルダーへの着脱操作が容易になり、縦長に形成すると、斜め左右方向での着脱操作が容易になるものである。
【００１１】
第４の発明は、特に、第１の発明の突起部を略円柱状に形成し、凹部を横長あるいは縦長に形成したもので、物体をホルダーに取り付ける際、凹部による突起部の誘い込み範囲が広くなり取り付け性を向上させることができる。
【００１２】
第５の発明は、特に、第１〜４のいずれか１つの発明のホルダーの下端に物体の一部を係止する係止部を設けたもので、物体をホルダーに取り付ける際、前記係止部が、一旦前記物体を係止するので、取り付け時の操作性を向上させることができる。
【００１３】
第６の発明は、特に、第１〜５のいずれか１つの発明の少なくとも突起部あるいは凹部を、他の部分よりも弾性に富んだ材料で形成したもので、物体をホルダーに取り付ける際
突起部或いは凹部が自由に変形し、前記突起部と前記凹部との嵌合、引っ掛けが容易になり、取り付け時の操作性を向上させることができる。
【００１４】
以下本発明の実施の形態について、図面を参照しながら説明する。なお、この実施の形態によって本発明が限定されるものではない。
【００１５】
（実施の形態１）
図１は、本発明の第１の実施の形態におけるホルダーと壁面に懸架する物体の斜視図、図２は、ホルダーが物体を保持している状態における断面図である。なお、従来例と同一部分については、同じ符号を用い、その説明を省略する。
【００１６】
図において、ホルダー１は、室内などの壁面（図示せず）に取り付けられる台座１ａと、前記壁面に対し略垂直方向に突出して前記台座１ａに設けられた突起部２とを備えている。一方、壁面に懸架されるリモコンなどの物体３の裏面に、前記突起部１に嵌合する又は引っ掛けられる凹部４を設けておく。
【００１７】
以上のように本実施の形態によれば、突起部１が略垂直方向に突出して設けられているので、ホルダー１に物体３を取り付ける時は、物体３を前方より移動させて、物体３の裏面に設けた凹部４をホルダー１の突起部２に嵌合又は引っ掛けるだけで良く、物体３のホルダー１との着脱操作の方向に自由度を持たせることができ、しかも着脱ストロークも突起部３と凹部４との嵌合又は引っ掛けだけなので短くなり、着脱操作が極めて容易になるものである。
【００１８】
（実施の形態２）
図３は、本発明の第２の実施の形態におけるホルダーと壁面に懸架する物体の斜視図である。なお、上記実施の形態と同一部分については、同じ符号を用い、その説明を省略する。
【００１９】
本実施の形態は、図３に示すように、ホルダー１の突起部２を所定の幅を有するように横長に形成するとともに、壁面に懸架される物体３に設けた凹部４も横長に形成すると共に、その横幅寸法は、 突起部２のそれよりも多少大きく設定しておくものである。
【００２０】
以上の構成により、上記第１の実施の形態では、突起部２と凹部４との接触は点接触であったの対し、面接触となり、物体３を保持する力を大きくさせることができ、着脱操作の安定性や着脱感を向上させることができる。また、凹部４の幅が突起部２のそれより多少大きいので、物体３をホルダー１に取り付ける際、それが多少傾いても、凹部４が突起部２を誘い、容易に取り付ける事ができる。
【００２１】
なお、上記実施例では、 突起部２に所定の幅を持たせるためにその突起部２を横長に形成したが、図４に示すように、突起部２を縦長に形成しても良い。勿論その場合は、物体３の裏面の凹部４を縦長に形成することは言うまでも無い。
【００２２】
（実施の形態３）
図５は、本発明の第３の実施の形態におけるホルダーと壁面に懸架する物体の斜視図である。なお、上記実施の形態と同一部分については、同じ符号を用い、その説明を省略する。
【００２３】
本実施の形態は、図５に示すよう、突起部２を略円柱状に形成し、一方壁面に懸架される物体３に設けた凹部４を、所定の幅を持たせるように、横長あるいは縦長に形成したもので、これにより、突起部２の幅寸法に対し凹部４の幅が大きいので、物体３を取り付ける際に、凹部４による突起部２の誘い込み寸法が広くなり、取り付け性を大幅に向上させることができる。
【００２４】
（実施の形態４）
図６は、本発明の第４の実施の形態におけるホルダーで壁面に懸架する物体を保持している状態の断面図である。なお、上記実施の形態と同一部分については、同じ符号を用い、その説明を省略する。
【００２５】
本実施の形態は、図６に示すよう、ホルダー１の下端に物体３の一部、本実施の形態では、下端を係止する係止部５ｂを設けたもので、物体３をホルダー１に取り付ける際、係止部５に物体３の下端が一旦係止されるので、取り付け時の操作性を向上させることができる。
【００２６】
（実施の形態５）
図７は、本発明の第５の実施の形態におけるホルダーの部分断面図である。なお、上記実施の形態と同一部分については、同じ符号を用い、その説明を省略する。
【００２７】
本実施の形態は、図７に示すように、ホルダー１の突起部２を、台座１ａの材質に較べ弾性に富んだ材料で形成したもので、突起部２が弾性に富んでいるので、突起部２が自由に変形、移動し、物体３の凹部４への嵌合が比較的容易にでき、取り付け時の操作性を向上させることができる。
【００２８】
なお、弾性の異なる材料で形成された突起部２と台座１ａの組み立ては、突起部２を別部品として成型し、それを台座１ａに接着、ネジ止め或いは嵌合等で取り付けるか、或いは、
突起部２を台座１ａに２重成型法で一体的に成型しても良い。
【００２９】
また、上記実施の形態では、ホルダー１の突起部２を、台座１ａの材質に較べ弾性に富んだ材料で形成したが、物体３の凹部４を、他の部材、例えば台座１ａ、突起部２、物体３の本体等、の材質に較べ弾性に富んだ材料で形成してもよく、その場合は、突起部２に物体３の凹部４を嵌合させる際、凹部４が自由に変形して、突起部２を受け入れるので、上記同様取り付け時の操作性を向上させることができる。
【産業上の利用可能性】
【００３０】
以上のように、本発明にかかるホルダーは、突起部が略水平方向で物体の凹部と嵌合又は引っ掛けて保持するので、物体のホルダーへの着脱操作の方向に自由度を持たせることができ、しかも着脱ストロークも短くなり、着脱操作性が極めて良好なので、壁面や柱などに取り付けられ物品を保持する各種のホルダーに適用できる。
【図面の簡単な説明】
【００３１】
【図１】本発明の実施の形態１におけるホルダーと物体の斜視図
【図２】同ホルダーが物体を保持している状態を示す断面図
【図３】本発明の実施の形態２におけるホルダーと物体の斜視図
【図４】他の例を示すホルダーと物体の斜視図
【図５】本発明の実施の形態３におけるホルダーと物体の斜視図
【図６】本発明の実施の形態４におけるホルダーで物体を保持している状態の断面図
【図７】本発明の実施の形態５におけるホルダーの部分断面図
【図８】従来のホルダーと物体の斜視図
【符号の説明】
【００３２】
１    ホルダー
１ａ    台座
２    突起部
３    物体
４    凹部
５ａ    係止部
【図１】
2005224274.tif 000003
【図２】
2005224274.tif 000004
【図３】
2005224274.tif 000005
【図４】
2005224274.tif 000006
【図５】
2005224274.tif 000007
【図６】
2005224274.tif 000008
【図７】
2005224274.tif 000009
【図８】
2005224274.tif 000010